(57)【要約】【課題】飾り灯を可動させるようにしてもリード線とプリント基板との接触不良を招かない役物装置を提供すること。【解決手段】役物装置５は、飾り灯９１，９２と共に往復動可能な揺動部材１２，１３のリード線収容部６１に、飾り灯９１，９２のターミナル部６５から延びる複数のリード線６６をリード線導入口６７，６８を介して収容し、リード線導出口６９から集中的に外部へ導出するよう構成される。【選択図】図１０
2007054519.tif 000002
【特許請求の範囲】
【請求項１】
電装部品を有する飾り部材が取り付けられる支持部材を移動可能に設けた役物装置において、
前記支持部材に、前記電装部品から延びる複数のリード線がリード線導入口を介して収容されるリード線収容部を設け、該リード線収容部にその内部にある前記複数のリード線を集中的に外部へ導出するためのリード線導出口を設けたことを特徴とする役物装置。
【請求項２】
前記リード線収容部は、収容部本体と、該収容部本体の開口部を塞ぐ蓋部材とから構成され、
前記収容部本体は、前記飾り部材に設けられた係止部が係入される被係止部を有し、
前記係止部を前記被係止部に係入した状態で、前記収容部本体の前記開口部を前記蓋部材で塞ぐことにより、前記飾り部材が前記リード線収容部に固定されることを特徴とす  
請求項１に記載の役物装置。
【請求項３】
前記リード線導入口は、前記飾り部材と前記係止部との間に形成されていることを特徴とする請求項２に記載の役物装置。
【請求項４】
前記飾り部材は、電装部品収容室を有する本体ケースと、該本体ケースの開口部を塞ぐように設けられ前記電装部品が実装されるプリント基板とを含んで構成され、前記プリント基板を前記本体ケースの前記開口部の面積よりも小さく形成し、前記プリント基板の縁部と前記本体ケースの前記開口部との間に放熱部が形成されていることを特徴とする請求項１〜３のいずれか１つに記載の役物装置。
【発明の詳細な説明】
【技術分野】
【０００１】
本発明は、パチンコ遊技機等遊技機の役物装置に関する。
【背景技術】
【０００２】
特許文献１に開示されるように、飾り部材には電飾等の電装部品が設けられており、この電装部品が実装されるプリント基板に、制御基板へと延びるリード線が接続されている。そして、飾り部材から導出されるリード線は、リード線導出口の近傍に設けられた配線係止部に束ねられている。
【特許文献１】特開平０９−０００７１３号公報
【発明の開示】
【発明が解決しようとする課題】
【０００３】
ところで、近年の飾り部材においては、演出効果を高めるために、飾り部材を可動させる傾向がある。そのため、リード線を単に鉤状の配線係止部に係止させるだけでは、飾り部材が可動すると、束ねられているリード線が離散し、プリント基板との接触不良を起こすおそれがある。
【０００４】
本発明は、上記のような従来の問題点を解決し、飾り部材を可動させるようにしてもリード線とプリント基板との接触不良を招かない役物装置を提供することを主な目的とする。
【課題を解決するための手段】
【０００５】
本発明の役物装置は、電装部品を有する飾り部材が取り付けられる支持部材を移動可能に設けた役物装置において、前記支持部材に、前記電装部品から延びる複数のリード線がリード線導入口を介して収容されるリード線収容部を設け、該リード線収容部にその内部にある前記複数のリード線を集中的に外部へ導出するためのリード線導出口を設けたことを特徴とする。
【０００６】
本発明によると、飾り部材と共に移動可能な支持部材のリード線収容部に、飾り部材の電装部品から延びる複数のリード線をリード線導入口を介して収容し、リード線導出口から集中的に外部へ導出するよう構成したため、飾り部材及び支持部材が移動してもリード線が離散することがなくなり、リード線と電装部品との接触不良を招かなくなる。
【０００７】
ここで、前記リード線収容部は、収容部本体と、該収容部本体の開口部を塞ぐ蓋部材とから構成され、前記収容部本体は、前記飾り部材に設けられた係止部が係入される被係止部を有し、前記係止部を前記被係止部に係入した状態で、前記収容部本体の前記開口部を前記蓋部材で塞ぐことにより、前記飾り部材が前記リード線収容部に固定される。これにより、特別な係止部材を用いることなく蓋部材を利用して飾り部材をリード線収容部に固定することができ、部品点数の減少及び役物取付作業の容易化を図ることができる。また、リード線収容部内に収容されたリード線及び係止部は蓋部材によって外部に露出しないため、外観品質が向上する。
【０００８】
また、前記リード線導入口は、前記飾り部材と前記係止部との間に形成されている。
【０００９】
また、前記飾り部材は、電装部品収容室を有する本体ケースと、該本体ケースの開口部を塞ぐように設けられ前記電装部品が実装されるプリント基板とを含んで構成され、前記プリント基板を前記本体ケースの前記開口部の面積よりも小さく形成し、前記プリント基板の縁部と前記本体ケースの前記開口部との間に放熱部が形成されている。このように放熱部を形成することにより、プリント基板に放熱部を形成する場合と比べ、プリント基板の回路設計を容易に行うことができる。
【発明を実施するための最良の形態】
【００１０】
以下、本発明の実施形態を図面に基づいて説明する。
【００１１】
図１は、本発明の一実施形態に係る役物装置が組み込まれたパチンコ遊技機の遊技盤の正面図、図２は、役物装置の非動作時の正面図、図３は、役物装置の非動作時の斜視図、図４は、役物装置の動作時の正面図、図５は、役物装置の動作時の斜視図、図６は、役物装置の分解斜視図、図７は、役物装置の背面図、図８は、第１可動役物の動作を説明するための平面図、図９は、第１可動役物の駆動系を正面側から見た斜視図、図１０は、第１可動役物の駆動系の配線を表した分解斜視図、図１１は、第１可動役物の一方の揺動部材側の配線を表した平面図、図１２は、第２可動役物の動作を説明するための平面図、図１３は、装飾部材のベースフレームの正面図、図１４は、図１３図示A-A断面図、図１５は、図１３図示の装飾部材のベースフレームを斜め下から見たときの斜視図をそれぞれ示す。
【００１２】
図１〜図１５において、遊技盤１００の中央部には装飾部材２００が配設される。
【００１３】
装飾部材２００は、中央部に窓部１を有し、この窓部１をステージ部２と左壁部３と右壁部４と役物装置５とで取り囲んで構成されている。窓部１は、四角形状をしており、各種画像演出を行う図柄表示装置の図柄表示画面Dを前面に露出させる。
【００１４】
窓部１を挟んだ装飾部材２００の左壁部３及び右壁部４には、それぞれ遊技盤面１０１上を転動している遊技球を装飾部材２００の内側つまりステージ部２上に案内するためのステージ誘導通路部６が設けられている。ステージ部２は、本実施形態の場合、奥行き方向（前後方向）に３つからなる分割ステージ部によって構成され、奥行きが長いステージ部である。ステージ部２に案内された遊技球のうち、ステージ部２の所定の入口に入った遊技球は、始動入賞口１０２の真上に位置する出口２aから遊技盤面１０１へと出て始動入賞口１０２に入賞し易くなり、残りの遊技球はステージ部２上から落下し、多くの場合始動入賞口１０２に入賞しない。
【００１５】
役物装置５は、第１可動役物７と第２可動役物８とを備える。
【００１６】
第１可動役物７は、左右一対の可動部材７A、７Bを備える。
【００１７】
左側の可動部材７Aは、飾り部材としての飾り灯９１と、飾り灯９１が取り付けられる支持部材としての揺動部材１２とを備え、右側の可動部材７Bは、飾り部材としての飾り灯９２と、飾り灯９２が取り付けられる支持部材としての揺動部材１３とを備える。
【００１８】
飾り灯９１，９２は、遊技盤１００の左右方向（幅方向）に往復移動可能であり、互いに接近、離間する。左側の飾り灯９１は「水戸」の文字部材からなり、右側の飾り灯９２は「黄門」の文字部材からなる。飾り灯９１，９２は、第１可動役物７の非作動時（全閉時）には、図２及び図３に示すように、互いに接近した状態となり、また、第１可動役物７の作動時（全開時）には、図４及び図５に示すように、互いに離間した状態となる。また、飾り灯９１，９２は、単に全開状態と全閉状態の２つの態様をとるのみでなく、高速かつ小刻みに開方向への移動と閉方向への移動を交互に繰り返す動作をとる場合もある。
【００１９】
第２可動役物８は、遊技盤１００の前後方向（厚み方向）に往復移動可能となっている。第２可動役物８は、非作動時には、図２及び図３に示すように、全閉状態の飾り灯９１，９２の後方に位置する後退状態となり、また、作動時には、図４及び図５に示すように、全開状態の飾り灯９１，９２間の開口部よりも前方に位置する前進状態となる。
【００２０】
役物装置５は、半長円状のベースプレート１１を備え、このベースプレート１１の上に各種部材、部品を装着して構成されている。
【００２１】
ベースプレート１１の上面には、左右一対の板状の揺動部材（支持部材）１２，１３が後端側の各軸部１２a、１３aを中心として円弧状の軌跡を描くように左右方向に揺動可能に装着される。正面視左側の揺動部材１２の先端部１２bには、左側の飾り灯９１が取着され、正面視右側の揺動部材１３の先端部１３bには、右側の飾り灯９２が取着される。
【００２２】
右側の揺動部材１３は、その先端部１３bの右端部１３cがベースプレート１１の先端部の右ストッパー面１１aと当接することによって開方向（右方向）への移動が規制される。また、左側の揺動部材１２は、その先端部１２bの左端部１２cがベースプレート１１の先端部の左ストッパー面１１bと当接することによって開方向（左方向）への移動が規制され、これにより第１可動役物７の全開状態が規制される。
【００２３】
右側の揺動部材１３の右端部中央部とベースプレート１１の後端部との間には、引っ張りばねからなる弾性部材１４（図８、図９参照）が掛け渡されている。引っ張りばね１４は、右側の揺動部材１３に対し常時開方向への力を加えている。
【００２４】
右側の揺動部材１３と左側の揺動部材１２は、連結機構１５によって連結されている。連結機構１５は、右側の揺動部材１３の上面の軸部１３a寄りの左端側に形成された係合突起１６と、左側の揺動部材１２の軸部１２a寄りの右側面に左右方向へ延びて形成され、係合突起１６が移動可能に収容される凹部１７とにより構成されている。係合突起１６は第１可動役物７が全閉状態と全開状態との間で変位する間、常に凹部１７に収容された状態に保たれる。上記のように、右側の揺動部材１３は引っ張りばね１４によって常時開方向へ付勢されている。このため、連結機構１５の係合突起１６は凹部１７の内壁面と常時当接した状態に保たれ、左側の揺動部材１２も開方向へ常時付勢されるようになる。
【００２５】
ベースプレート１１の上面に、下方が開口した下側ケース部材１９（図７）がねじ止めされ、下側ケース部材１９には、ステッピングモータ２０が固定されている。ステッピングモータ２０は、出力軸２０aが下に位置するよう縦置きとされる。ステッピングモータ２０の出力軸２０aにはカム２１が固着されており、このカム２１のカム面２１a（図８）に、左側の揺動部材１２の上面に突設されたカムフォロア１８が当接している。カム面２１aは、上述したような左側の揺動部材１２に加わっている開方向への付勢力により軸部１２aを中心として回動しようとするカムフォロア１８を受け止め、その移動を阻止するストッパーとしての作用を発揮する。換言すると、カム２１及びカムフォロア１８は、揺動部材１２，１３の開方向への移動を阻止する規制機構としての作用を発揮する。
【００２６】
カム面２１aは、第１可動役物７を全閉状態に規制するためにカム２１の回転中心２１bから最も遠くなる位置P1（図８（A）参照）と、第１可動役物７を全開可能にするためにカム２１の回転中心２１bから最も近くなる位置P2（図８（B）参照）とを有し、両位置P1、P2の間は、カム２１の回転中心２１bから距離が徐々に変化する位置となるようにカム面２１aが形成されている。
【００２７】
下側ケース部材１９の上面には、下方が開口した上側ケース部材２２（図６、図７）がねじ止めされる。上側ケース部材２２の上面の前端部には、左右方向に間隔を置いて垂直に形成された一対のガイドリブ２３，２４が設けられている。また、第２可動役物１０の後面には、ガイド部材２５が設けられている。ガイド部材２５は、上下方向に貫通した左右一対のガイド孔部２６，２７が前後方向に延びて形成されている。各ガイド孔部２６，２７には、各ガイドリブ２３，２４が挿通されており、各ガイド孔部２６，２７が各ガイドリブ２３，２４と係合しながら前後方向へ移動することで第２可動役物８は前後方向に円滑に移動することができる。
【００２８】
ガイド部材２５において、一対のガイド孔部２６，２７の中間に位置する箇所には、上下方向に貫通した長孔部２８が左右方向に延びて形成されている。また、上側ケース部材２２の上面には、上側ケース部材２２に固定された軸部２９aを中心として水平方向に揺動可能な直線状のレバー部材２９が設けられている。レバー部材２９の先端部には、下方へ延びた駆動ピン３０が形成されており、この駆動ピン３０は、上記長孔部２８に挿入されている。
【００２９】
上側ケース部材２２の下面には、ステッピングモータ３１がねじ止めされている。ステッピングモータ３１は、出力軸３１aが上となる縦置きとされている。ステッピングモータ３１の出力軸３１aには、回転板３２が固着されており、この回転板３２の上面に連結ピン３３が偏心して形成されている。また、レバー部材２９の基端部には、上下方向に貫通し、かつレバー部材２９の長手方向に延びる長孔部３４が形成されている。この長孔部３４に連結ピン３３が挿通されている。
【００３０】
第２可動役物８が後退位置にあるとき（図１２（A）参照）、連結ピン３３は前端に位置し、レバー部材２９の駆動ピン３０は後端に位置するため、ガイド部材２５は後端に位置し、第２可動役物８は後退位置に保たれる。この状態からステッピングモータ３１が回転すると、連結ピン３３が長孔部３４の内壁面を後方へ押圧し、レバー部材２９が軸部２９aを中心として平面視反時計方向へ回動し、駆動ピン３０が長孔部２８の内壁面を前方へ押圧するようになり、これにより、第２可動役物８は前進する。
【００３１】
第２可動役物８が前進位置に達した（図１２（B）参照）後、さらにステッピングモータ３１が同一方向へ回転すると、連結ピン３３が長孔部３４の内壁面を今度は前方へ押圧し、レバー部材２９が軸部２９aを中心として平面視時計方向へ回動し、駆動ピン３０が長孔部２８の内壁面を後方へ押圧するようになり、これにより、第２可動役物８は後退する。
【００３２】
図１０及び図１１において、第１可動役物７は、本体ケース５１を４つ備え、各々の本体ケース５１は後端開口部５２を有する電装部品収容室５３を備える。各々の電装部品収容室５３には、基板取付部５４が後方へ突設され、この基板取付部５４に、電装部品としてのLED(発光ダイオード)５５が前面側に実装されたプリント基板５６がねじ５７で固定される。
【００３３】
また、各々の本体ケース５１の後部には、係止部材取付部５８が後方へ突設され、この係止部材取付部５８に係止部材（係止部）５９がねじ６０で固定される。左側の飾り灯９１側の２つの係止部材５９は、左側の揺動部材１２の先端部１２bを構成している１つのリード線収容部６１に係止される。つまり、各々の係止部材５９には、下方に開口した垂直孔５９aが２つ形成されているとともに、リード線収容部６１の収容部本体６２の床面には、垂直リブ（被係止部）６２aが４つ突設されており、各係止部材５９の２つの垂直孔５９aに、収容部本体６２の対応する２つの垂直リブ６２aを挿入し、リード線収容部６１の蓋部材６３で収容部本体６２の上端開口部６２bを上方から塞ぎ、さらにねじ６４で固定することにより、係止部材５９がリード線収容部６１内に固定され、第１可動役物７の左側の飾り灯９１が左側の揺動部材１２の先端部１２bに固定されるようになる。右側の飾り灯９２側の２つの係止部材５９についても、左側の飾り灯９１側の２つの係止部材５９と同様に構成されており、各係止部材５９の２つの垂直孔５９aに、収容部本体６２の対応する２つの垂直リブ６２aを挿入し、蓋部材６３で収容部本体６２の上端開口部６２bを上方から塞ぎ、さらにねじ６４で固定することにより、係止部材５９がリード線収容部６１内に固定され、第１可動役物７の右側の飾り灯９２が右側の揺動部材１３の先端部１３bに固定されるようになる。
【００３４】
また、各プリント基板５６の後面には、ターミナル部（電装部品）６５が配設されており、このターミナル部６５からリード線６６が延びている。各ターミナル部６５から延びるリード線６６は、それぞれ、プリント基板５６の後面と係止部材５９の前面との間に形成されるリード線導入口６７、あるいは、蓋部材６３の前面と係止部材５９の後面との間に形成されるリード線導入口６８（図６）を介してリード線収容部６１内に収容される。また、各ターミナル部６５から延びて共通のリード線収容部６１内に収容された複数のリード線６６は、リード線収容部６１の後壁部に形成された１つのリード線導出口６９を介して集中的に揺動部材１２，１３の本体部の上面に導出される。リード線導出口６９は、第１可動役物７の移動時にリード線６６がその周辺部位に引っ掛からないようにするために、リード線収容部６１の一端部寄りに位置している。揺動部材１２，１３の本体部に導出されたリード線６６は、揺動部材１２，１３の本体部に形成された配線用の孔７０や鉤部７１などにより係止されて図示しない制御基板や電源基板に接続される。
【００３５】
各プリント基板５６は、本体ケース５１の後端開口部５２の面積よりも小さく形成され、プリント基板５６の縁部と本体ケース５１の後端開口部５２の縁部との間に放熱孔７２が形成されている。つまり、プリント基板５６は、その輪郭が本体ケース５１の後端開口部５２の輪郭よりも内側の領域に位置するように形成されることにより、本体ケース５１の縁部に放熱部としての放熱孔７２が開口されている。放熱孔７２は、プリント基板５６に実装された電装部品としてのLED(発光ダイオード)５５等から発する熱によって、飾り灯９１，９２内の温度が上昇するのを防止する役割がある。
【００３６】
図１３〜図１５において、ベースプレート１１の裏面（下面）８１は、図柄表示装置の図柄表示画面D（図１参照）の上端縁から図柄表示画面Dと略直交する角度をもって前方に突出している。また、ベースプレート１１の裏面８１は、図柄表示画面Dの表示図柄を反射して遊技者に視認し得るような反射面により構成されており、奥側の反射面８２と手前側の反射面８３との間に段差部８４を有し、手前側の反射面８３が奥側の反射面８２よりも低い高さ位置にある。また、ベースプレート１１の裏面８１の左右方向の幅は、奥側から手前側に向かうにしたがって漸次狭くなるよう形成されている。本実施形態において、窓部１の上部にある反射面８３，８２及び段差部８４は、メッキ処理によって鏡面化されている。なお、窓部１の反射面８３，８２をメッキ処理ではなく鏡によって構成することも可能である。
【００３７】
このように、ベースプレート１１の裏面８１によって図柄表示画面Dの表示図柄を反射させて遊技者に視認させることができるため、図柄表示画面Dまでの奥行き感を高めることができるとともに、画面を大きく見せることができる。また、段差部８４により、ベースプレート１１の裏面８１に映る画像の一部が途切れて見えるようになるため、ベースプレート１１の裏面８１に映る画像と、図柄表示画面Dの画像との区別がつきやすく、見づらさを解消することができる。
【００３８】
次に、上記のように構成された役物装置５の動作例を説明する。
【００３９】
通常時は、第１可動役物７は図２、図３及び図８（A）に示すような全閉状態にあり、かつ、第２可動役物８は図２、図３及び図１２（A）に示すように第１可動役物７の後方の後退位置にある。この第１可動役物７の全閉時には、左側の揺動部材１２のカムフォロア１８は、カム２１の回転中心２１bから最も遠い位置P1でカム面２１aと常時当接しており、一対の揺動部材１２，１３は、開方向への移動が規制されている。この全閉時、連結機構１５の係合突起１６は、右側の揺動部材１３が引っ張りばね１４によって常時開方向へ付勢されているため、凹部１７の前側壁面と当接した状態に保たれる。
【００４０】
そして、所定の遊技状態が発生する、例えば図柄変動が開始すると、第１可動役物７は数秒間、高速かつ小刻みに開閉を繰り返す振動動作を開始する。この振動動作は、ステッピングモータ２０が正転と逆転を繰り返すことによって左側の揺動部材１２のカムフォロア１８がカム面２１a上を摺動することによって行われる。この振動動作時においても、連結機構１５の係合突起１６は、右側の揺動部材１３が引っ張りばね１４によって常時開方向へ付勢されているため、凹部１７の内壁面と常時当接した状態に保たれ、連結機構１５は、クリアランスなしに連結状態に保たれる。したがって、ステッピングモータ２０の回転角度が変化したときに両揺動部材１２，１３は応答性、追従性に優れた動作を行うことができる。なお、この振動開始時に、「ドン」という効果音が鳴り、その後は、「ゴゴゴ‥‥」という効果音が鳴る。
【００４１】
その後、他の所定の遊技状態が発生する、例えばリーチ演出が確定すると、第１可動役物７は全開する。この全開動作は、ステッピングモータ２０の回転により、カムフォロア１８が、カム面２１aに沿ってカム２１の回転中心２１bから最も遠い位置P1から最も近い位置P2に移動することによって行われる。
【００４２】
これにより、第１可動役物７の飾り灯９１，９２が離間され、第２可動役物８の前方は開放される。その後、後退位置にあった第２可動役物８が前進位置まで前進する。この前進動作は、ステッピングモータ３１の回転により、レバー部材２９が平面視反時計方向へ回動することによって行われる。
【００４３】
異なる箇所からリード線収容部６１内に導入される複数のリード線６６は、１つのリード線導出口６９から集中的に導出されている。つまり、複数のリード線６６は１箇所から導出されていることから、リード線収容部６１の外部においてリード線６６が離散しにくくなっている。そのため、第１可動役物７が左右方向に激しく振動しても、第２可動役物８やそれ以外の部位に引っ掛かることがなく、リード線６６の電気的な接続不良を招くのが防止される。しかも、リード線収容部６１のリード線導出口６９の近傍には、リード線６６を拘束する役割のある配線用の孔７０や鉤部７１があり、この孔７０とリード線導出口６９との間の距離が短く設定されているため、リード線６６の離散防止効果がより一層高められる。
【００４４】
以上説明したように、本実施形態に係る役物装置５は、飾り部材としての飾り灯９１，９２と共に往復動可能な支持部材（揺動部材１２，１３）のリード線収容部６１に、飾り灯９１，９２の電装部品（ターミナル部６５）から延びる複数のリード線６６をリード線導入口６７，６８を介して収容し、リード線導出口６９から集中的に外部へ導出するよう構成したため、飾り灯９１，９２及び支持部材１２，１３が往復動してもリード線６６が離散することがなくなり、リード線６６と電装部品６５との接触不良を招かなくなる。
【００４５】
また、リード線収容部６１は、収容部本体６２と、収容部本体６２の開口部６２bを塞ぐ蓋部材６３とから構成され、収容部本体６２は、飾り灯９１，９２に設けられた係止部（係止部材５９）が係入される被係止部（垂直リブ６２a）を有し、係止部５９を被係止部６２aに係入した状態で、収容部本体６２の開口部６２bを蓋部材６３で塞ぐことにより、飾り灯９１，９２がリード線収容部６１に固定される。これにより、特別な係止部材を用いることなく蓋部材６３を利用して飾り灯９１，９２をリード線収容部６１に固定することができ、部品点数の減少及び役物取付作業の容易化を図ることができる。また、リード線収容部６１内に収容されたリード線６６及び係止部５９は蓋部材６３によって外部に露出しないため、外観品質が向上する。
【００４６】
また、飾り灯９１，９２は、電装部品収容室５３を有する本体ケース５１と、本体ケース５１の開口部５２を塞ぐように設けられ電装部品（LED５５やターミナル部６５）が実装されるプリント基板５６とを含んで構成され、プリント基板５６を本体ケース５１の開口部５２の面積よりも小さく形成し、プリント基板５６の縁部と本体ケース５１の開口部５２との間に放熱孔７２が形成されている。このように放熱孔７２を形成することにより、プリント基板５６に放熱孔を形成する場合と比べ、プリント基板５６の回路設計を容易に行うことができる。
【００４７】
なお、ステッピングモータ２０，３１の代わりにDCモータ等を用いてもよい。また、引っ張りばね１４の代わりに圧縮ばねを揺動部材１３の左右反対側に設けるようにしてもよい。さらに、役物装置５の基本的構成の変形例として、通常時は第２可動役物８を第１可動役物７の前方に配置させ、演出時には第１可動役物７を開放してから第２可動役物８を後退させ、その後第１可動役物７を閉じる構成を採用するようにしてもよい。
【００４８】
次に、特許請求の範囲に記載された技術的思想のほかに、上述した実施形態によって把握される技術的思想を以下に列挙する。
【００４９】
（１）図柄表示画面Dの前面側に設けられ、図柄表示画面Dの表示領域を露出させるべく、表示領域の形状、大きさに対応して形成される表示領域露出部（窓部１）を備えた役物装置５において、前記表示領域露出部１の少なくとも一部に、前記図柄表示画面Dに表示される図柄を反射させるための反射面８２，８３を有するパチンコ遊技機における装飾装置。この構成により、表示領域露出部１に図柄を反射させることで、図柄表示画面Dが設置されている位置までの奥行き感を高めることができるのに加え、図柄表示画面Dを大きく見せることができる。なお、反射面８２，８３は平面形状のみに限定されるものではなく、図柄表示画面Dが円形状をしている場合には、その形状に沿うように反射面８２，８３を湾曲させるようにしてもよい。また、図柄表示画面Dが四角形状であっても反射面８２，８３をアーチ状又は波状に湾曲させてもよい。
【００５０】
（２）前記反射面８２，８３には、図柄表示画面Dの幅方向に沿って延びる段差部８４が形成されている前記（１）に記載のパチンコ遊技機における装飾装置。この構成により、反射面８２，８３に映る画像の一部が途切れて見えるため、反射面８２，８３によって反射する画像と図柄表示画面Dの画像との区別が付き易く、見づらさを解消することができる。なお、段差部８４は１つに限定されず、複数設けてもよい。また、段差部８４の代わりに、反射面８１を凹凸状に形成してもよい。
【００５１】
（３）前記反射面８２，８３は、図柄表示画面Dの表示面に対して略直交する角度を有し、前記表示領域露出部１の上部のみに配置されている前記（１）又は（２）に記載のパチンコ遊技機における装飾装置。この構成により、遊技者にとって煩わしくない程度に図柄表示画面Dを適切な大きさで見せることができる。なお、反射面８２，８３を図柄表示画面Dの左右側部あるいは下端縁にも設けるようにしてもよい。あるいは、反射面８２，８３を表示領域露出部１の側面のみに設けてもよい。
【００５２】
（４）前記表示領域露出部１は、その幅が中央部付近から端部にかけて漸次狭くなるように形成されている前記（１）〜（３）のうちいずれかに記載のパチンコ遊技機における装飾装置。この構成により、反射面８２，８３によって反射する画像と図柄表示画面Dの画像との区別をより一層明確にすることができる。
【図面の簡単な説明】
【００５３】
【図１】本発明の一実施形態に係る役物装置が組み込まれたパチンコ遊技機の遊技盤の正面図である。
【図２】役物装置の非動作時の正面図である。
【図３】役物装置の非動作時の斜視図である。
【図４】役物装置の動作時の正面図である。
【図５】役物装置の動作時の斜視図である。
【図６】役物装置の分解斜視図である。
【図７】役物装置の背面図である。
【図８】第１可動役物の動作を説明するための平面図である。
【図９】第１可動役物の駆動系を正面側から見た斜視図である。
【図１０】第１可動役物の駆動系の配線を表した斜視図である。
【図１１】第１可動役物の一方の揺動部材側の配線を説明するための平面図である。
【図１２】第２可動役物の動作を説明するための平面図である。
【図１３】第１可動役物のベースフレームの正面図である。
【図１４】図１３図示A-A断面図である。
【図１５】図１３図示の第１可動役物のベースフレームを斜め下から見たときの斜視図である。
【符号の説明】
【００５４】
５    役物装置
１２    揺動部材（支持部材）
１３    揺動部材（支持部材）
５１    本体ケース
５２    開口部
５３    電装部品収容室
５５    LED（電装部品）
５６    プリント基板
５９    係止部材（係止部）
６１    リード線収容部
６２    収容部本体
６２a    垂直リブ（被係止部）
６２b    開口部
６３    蓋部材
６５    ターミナル部（電装部品）
６６    リード線
６７，６８    リード線導入口
６９    リード線導出口
７２    放熱孔（放熱部）
９１，９２    飾り灯（飾り部材）
【図１】
2007054519.tif 000003
【図２】
2007054519.tif 000004
【図３】
2007054519.tif 000005
【図４】
2007054519.tif 000006
【図５】
2007054519.tif 000007
【図６】
2007054519.tif 000008
【図７】
2007054519.tif 000009
【図８】
2007054519.tif 000010
【図９】
2007054519.tif 000011
【図１０】
2007054519.tif 000012
【図１１】
2007054519.tif 000013
【図１２】
2007054519.tif 000014
【図１３】
2007054519.tif 000015
【図１４】
2007054519.tif 000016
【図１５】
2007054519.tif 000017